(57)【要約】      （修正有）【課題】冷蔵庫で冷却したり氷を使用したりしなくても、簡便に、且つ効果的に体熱を吸収することができ、さらに、カビや雑菌の発生も防ぐことができる冷感マットを提供する。【解決手段】上面材２と、下面材３と、上面材２と下面材３との間に挟持された中材４と、を備える冷感マット１である。中材４が、塩化カルシウム６水和物からなる。上面材２と下面材３とが、超音波加工にて熱溶着されてなることが好ましく、超音波加工にて形成された熱溶着部９は、マット長手方向の複数箇所にて形成されていることが好ましい。また、上面材２および／または下面材３に、防水加工や防カビ加工が施されていることが好ましい。【選択図】図２
0003151748.tif 000002
【実用新案登録請求の範囲】
【請求項１】
上面材と、下面材と、該上面材と下面材との間に挟持された中材と、を備える冷感マットにおいて、前記中材が、塩化カルシウム６水和物からなることを特徴とする冷感マット。
【請求項２】
前記上面材と下面材とが、超音波加工にて熱溶着されてなる請求項１記載の冷感マット。
【請求項３】
前記超音波加工にて形成された熱溶着部が、マット長手方向の複数箇所にて形成されている請求項２記載の冷感マット。
【請求項４】
前記上面材および／または下面材に、防水加工が施されている請求項１〜３のうちいずれか一項記載の冷感マット。
【請求項５】
前記上面材および／または下面材に、防カビ加工が施されている請求項１〜４のうちいずれか一項記載の冷感マット。
【考案の詳細な説明】
【技術分野】
【０００１】
本考案は、冷蔵庫で冷却したり氷を使用したりしなくても、簡便に、且つ効果的に体熱を吸収することができる冷感マットに関する。
【背景技術】
【０００２】
夏季の寝苦しい夜などには、快適な睡眠を得るために、頭部や頸部の下に保冷枕や氷嚢枕等を敷設する。一般的な保冷枕内にはゲル状の保冷材が収納されており、冷蔵庫で冷却した状態で使用される。また、氷嚢枕は、氷嚢内に水および氷を収納して、タオル等のカバーを被せて使用される。
【０００３】
しかし、一般的な保冷枕においては、使用中に内部の保冷材が溶けて保冷効果が低下するという問題点があった。また、氷嚢枕においては、使用可能な状態にするまで手間が掛かるとともに、氷が溶けた際には新しい氷を追加しなければならないという欠点があった。
【０００４】
これらの問題に対し、例えば、特許文献１には、冷蔵庫等に入れて冷却する必要がなく、環境温度に左右されずに常に安定した保冷効果を得ることを目的として、融解温度が３０℃以下の共融混合水和塩を主成分とする冷熱媒剤を袋体内に封入してなる身体保冷具が開示されている。また、特許文献１には、冷熱媒剤の一例として、ＣａＣｌ２・６Ｈ２Ｏ（塩化カルシウムの６水和塩）を併用できることも開示されている。
【先行技術文献】
【特許文献】
【０００５】
【特許文献１】特開平９−２６６９２４号公報（特許請求の範囲等）
【考案の概要】
【考案が解決しようとする課題】
【０００６】
しかしながら、上記特許文献１に記載された身体保冷具においては、冷熱媒剤の主成分が共融混合水和塩であるために、コスト高になるという問題があった。また、使用中に、湿気により表面にカビや雑菌が発生するという欠点も有するものであった。
【０００７】
そこで本考案の目的は、上記問題点を解消して、冷蔵庫で冷却したり氷を使用したりしなくても、簡便に、且つ効果的に体熱を吸収することができ、さらに、低コストであって、カビや雑菌の発生も防止することができる冷感マットを提供することにある。
【課題を解決するための手段】
【０００８】
上記課題を解決するために、本考案の冷感マットは、上面材と、下面材と、該上面材と下面材との間に挟持された中材と、を備える冷感マットにおいて、前記中材が、塩化カルシウム６水和物からなることを特徴とするものである。なお、前述したように、前記特許文献１には、冷熱媒剤の一部としてのＣａＣｌ２・６Ｈ２Ｏ（塩化カルシウムの６水和塩）の使用が開示されているが、これはあくまでも冷熱媒剤の一部としての使用であって、塩化カルシウム６水和物を、冷感を得るための中材として用いる本考案の冷感マットと特許文献１の技術とは、明確に異なるものである。
【０００９】
本考案の冷感マットにおいては、前記上面材と下面材とが、超音波加工にて熱溶着されてなることが好ましい。この場合、より好ましくは、前記超音波加工にて形成された熱溶着部を、マット長手方向の複数箇所にて形成する。
【００１０】
また、本考案の冷感マットにおいては、前記上面材および／または下面材に、防水加工が施されていることが好ましく、前記上面材および／または下面材に、防カビ加工が施されていることも好ましい。
【考案の効果】
【００１１】
本考案によれば、中材として塩化カルシウム６水和物を使用したことで、低コストで製造することができるとともに、冷蔵庫で冷却したり氷を使用したりしなくても、簡便に、且つ効果的に体熱を吸収することができる冷感マットを実現することが可能となった。
【００１２】
また、上面材と下面材とを、超音波加工にてマット長手方向の複数箇所にて熱溶着させることで、使用中に中材の偏りが生じることがなくなり、さらに、小さく折り畳むことも可能となり、携帯や収納が容易になる。
【００１３】
さらに、上面材および／または下面材に防水加工や防カビ加工を施すことで、湿気によるカビや雑菌の発生を防止できる効果も得られる。
【図面の簡単な説明】
【００１４】
【図１】本考案の冷感マットの一構成例を示す全体斜視図である。
【図２】図１に示す冷感マットの拡大断面図である。
【図３】図１に示す冷感マットの折り畳み状態を示す側面図である。
【図４】図１に示す冷感マットの他の折り畳み状態を示す側面図である。
【考案を実施するための形態】
【００１５】
以下、本考案の冷感マットの実施の形態を、図面に基づいて説明する。
図１に、本考案の冷感マット１の一構成例の全体斜視図を、図２に、その拡大断面図を、それぞれ示す。図示する冷感マット１は、上面材２と、下面材３と、これら上面材２と下面材３との間に挟持された中材４と、を備えるものであり、中材４として、塩化カルシウム６水和物を用いた点に特徴を有する。
【００１６】
かかる構成としたことで、本考案の冷感マット１は、低コストで製造することができるとともに、冷蔵庫で冷却したり氷を使用したりしなくても、簡便に、且つ効果的に体熱を吸収することができるものとなった。
【００１７】
図示する例では、上面材２および下面材３はいずれも二層構造からなる。上面材２は、外側に配設されるポリエステルからなる外層シート５と、内側に配設される塩化ビニールからなる内層シート６とからなり、また、下面材３は、外側に配設されるポリエステルからなる外層シート７と、内側に配設される塩化ビニールからなる内層シート８からなる。これら上面材２を構成する外層シート５および内層シート６と、下面材３を構成する外層シート７および内層シート８とは、それぞれホットメルト溶着剤を介して接着されている。また、上面材２と下面材３との周縁には、ロック加工が施されている。
【００１８】
上面材２と下面材３との間には、前述したように、塩化カルシウム６水和物からなる中材４が封入されている。塩化カルシウム６水和物は、塩化カルシウムの水溶液を濃縮して３０℃以下で得られる無機系の蓄熱材であり、優れた蓄冷効果を発揮する。そのため、本考案によれば、塩化カルシウム６水和物からなる中材４を封入した冷感マット１を身体下部に敷設することで、冷感マット１が身体から発生する熱を効率よく吸収するので、使用者は心地よい冷感を得ることができる。
【００１９】
また、図示するように、上面材２と下面材３とは、超音波加工にて熱溶着することが好ましい。超音波加工は、超音波による振動エネルギーで加熱することによる溶着加工であり、上面材２と下面材３とを熱溶着した箇所には、熱溶着部９が形成される。
【００２０】
熱溶着部９は、上面材２と下面材３との周囲、および、マット長手方向の複数箇所にて形成することが好ましい。図示するように、熱溶着部９を、マット長手方向の複数箇所にて、平行状態で形成することで、使用中において中材４の偏りが生じることがなくなる。また、熱溶着部９の形成により、冷感マット１を、図３に示すように三つ折りに折り畳むことや、図４に示すように六つ折りに折り畳むことも可能となるので、携帯や収納が容易になるというメリットも得られる。
【００２１】
また、上面材２および／または下面材３には、防水加工を施すことが好ましい。上面材２および／または下面材３に防水加工を施すことにより、身体からの発汗による汗が中材４まで浸透することがなくなり、湿気によるカビや雑菌の発生を防止する効果が得られる。防水加工は、表面を防水性を有する材料により被覆するかまたは疎水化して、水の浸透を防ぐ加工であり、油脂やワックス、液状の合成樹脂、シリコーン等の素材が使用される。より好適には、防水加工を、上面材２の外層シート５の表面と、下面材３の外層シート７の表面とに、それぞれ施すことが好ましい。
【００２２】
さらに、上面材２および／または下面材３には、防カビ加工を施すことも好ましい。上面材２および／または下面材３に防カビ加工を施すことで、冷感マット１の表面にカビや雑菌が発生することを防止できる。防カビ加工は、銀、銅、亜鉛、ゼオライト、キトサン等の天然系抗菌剤や、酸化チタン等の無機系の素材を、塗布するかシート内に練りこむことにより施すことができる。
【００２３】
本考案の冷感マット１は、夏季の寝苦しい夜などに快適な睡眠を得るために、頭部や頸部の下に敷設する枕としての使用はもとより、ベッドパッドや敷布団パッド、クッションパッド等に幅広く利用することができる。また、その他にも、ノート型パソコンの下に敷設することで、パソコンから放出される熱気を吸収して、好適な条件での使用が実現できる。なお、本考案の冷感マット１の大きさについては、特に限定されるものではなく、枕に使用する小型のタイプから、ベッドパットに使用する大型サイズのものまで、用途に応じて、適宜寸法とすることができる。
【符号の説明】
【００２４】
１  冷感マット
２  上面材
３  下面材
４  中材
５，７  外層シート
６，８  内層シート
９  熱溶着部
【図１】
0003151748.tif 000003
【図２】
0003151748.tif 000004
【図３】
0003151748.tif 000005
【図４】
0003151748.tif 000006